(57)【特許請求の範囲】
【請求項１】
幅を５４ｍｍ以下、厚さを１０ｍｍ以下となし、長方形状をなす第１及び第２の主面部と周壁面を構成する側面部とを有し、直径５４ｍｍ以下とするディスクが収納されるハウジングと、
上記ハウジングの一方の短辺側の側面部であって、外部ホスト機器に設けられた挿入部へ挿入される上記ハウジングの挿入先端面の略前幅に亘って配設された上記外部ホスト機器と接続されるコネクタと、
上記ハウジングの一方の主面部側に配設された上記ディスクを回転駆動させるディスク回転駆動手段と、
上記ディスクに情報信号を記録し若しくは上記ディスクに記録された情報信号を再生する記録再生手段と、
上記ハウジングの一方の主面部側に配設され、上記記録再生手段を上記ディスクの内外周に亘って移動操作させる記録再生手段の駆動手段とを備え、
上記ディスク回転駆動手段及び上記記録再生手段の上記駆動手段のうちの少なくともいずれか一方を駆動する駆動電流が供給される第２の回路基板が、上記ハウジング内の第１及び第２の主面部の少なくとも一方に沿って近接配置され、上記外部ホスト機器とのインターフェースを図るインターフェース回路が構成される第１の回路基板が、上記ハウジングの他方の主面部に配され、上記第１の回路基板は、上記コネクタと接続されていることを特徴とするディスクドライブ装置。
【発明の詳細な説明】
【０００１】
【産業上の利用分野】
本発明は、コンピュータの外部記憶装置として用いられるディスクドライブ記憶装置及びこの装置を用いた情報機器に関する。
【０００２】
【従来の技術】
従来、ラップトップ型やＡ４サイズの書籍と平面形状を同一にする小型で軽量のパーソナルコンピュータが用いられている。この種のパーソナルコンピュータは、機器本体の一層の小型化及び軽量化が要求されるところである。この小型化及び軽量化の要求を満たすため、外部記憶装置として従来広く用いられている３．５インチのフロッピーディスクを記憶媒体に用いるディスクドライブ装置に代えて図８に示すような情報メモリーカード１０１が用いられるようになっている。
【０００３】
この情報メモリーカード１０１は、図９に示すように、薄板状のカード本体１０２内にＤＲＡＭやＳＲＡＭ等の集積回路チップ１０３を搭載したプリント回路基板１０４を内蔵させ、上記カード本体１０２のプリント回路基板１０４が載置される開放面側を薄板からなる蓋板１０５で覆って構成されている。また、カード本体１０２の一端側には、図８及び図９に示すように、パーソナルコンピュータへの接続部となる多数の筒状の端子部１０６ａを有するコネクタ１０６が配設されている。このように集積回路チップ１０３を内蔵し、パーソナルコンピュータの外部記憶装置として用いられる情報メモリーカード１０１は、長さ（Ｌ１）を８５．６ｍｍ、幅（Ｗ１）を５４ｍｍ、厚さ（Ｄ１）を３．３ｍｍとした方形の薄板状に形成されてなる。
【０００４】
このように形成された情報メモリーカード１０１は、パーソナルコンピュータ内に配設されるカードホルダ１１１に挿入装着されてコンピュータに接続される。このカードホルダ１１１は、例えば図１０に示すようにカード載置板１１２の両側に上記情報メモリーカード１０１の厚さ（Ｄ１）に略対応する挿入空間（Ｈ１）を有する断面コ字状をなす一対のカード保持部１１３，１１４が形成されている。なお、これらカード保持部１１３，１１４間は、開放されている。
【０００５】
また、情報メモリーカード１０１が挿脱される前端面側のカード挿脱口１１５と対向する内方側の端部には、上記情報メモリーカード１０１に設けられたコネクタ１０６が電気的に接続される多数の端子ピン１１６ａを有するプラグ１１６が配設されている。そして、情報メモリーカード１０１は、長手方向の両側をカード保持部１１３，１１４に挿入係合させるようにしてカード挿脱口１１５を介してカードホルダ１１１に挿入され、図１１に示すように上記カードホルダ１１１の内方端まで挿入されることにより、コネクタ１０６の端子部１０６ａとプラグ１１６の端子ピン１１６ａとが接続されて上記カードホルダ１１１に装着される。
【０００６】
そして、カードホルダ１１１に装着された情報メモリーカード１０１は、コネクタ１０６のプラグ１１６への嵌合接続と、カード保持部１１３，１１４の支持によりカードホルダ１１１内に安定して保持されてなる。すなわち、情報メモリーカード１０１は、カード保持部１１３，１１４の立上り片１１７の先端側を載置板１１２と対向するように折曲して形成したカード支持片１１８により支持されることにより、載置板１１２からの浮き上がりが防止されて安定した状態でカードホルダ１１１に装着される。
【０００７】
なお、カードホルダ１１１に装着された情報メモリーカード１０１は、カードホルダ１１１に設けられたエジェクト操作釦１１９が押圧操作されることによりカードホルダ１１１から突出操作され、カード挿脱口１１５から突出された部分を把持して引き抜くことによりカードホルダ１１１から外すことができる。
【０００８】
【発明が解決しようとする課題】
ところで、従来用いられている情報メモリーカードは、情報信号の記憶手段に集積回路チップを用いるものであるため、十分な記憶容量を確保することができない。
【０００９】
そこで、本発明は、小型、薄型化を図り、上述したように構成された情報メモリーカードと互換性をもって使用することを可能となすとともに、記憶容量の増大を達成し得るディスクを記憶媒体に用いることにより、情報メモリーカードに比し十分に大きな記憶容量を保証し得るディスクドライブ装置及びこの装置を用いた情報機器を提供することを目的とする。
【００１０】
【課題を解決するための手段】
上述したような目的を達成するため、本発明に係るディスクドライブ装置は、幅を５４ｍｍ以下、厚さを１０ｍｍ以下となし、長方形状をなす第１及び第２の主面部と周壁面を構成する側面部とを有し、直径５４ｍｍ以下とするディスクが収納されるハウジングと、このハウジングの一方の短辺側の側面部であって、外部ホスト機器に設けられた挿入部へ挿入される上記ハウジングの挿入先端面の略前幅に亘って配設された上記外部ホスト機器と接続されるコネクタと、ハウジングの一方の主面部側に配設された上記ディスクを回転駆動させるディスク回転駆動手段と、ディスクに情報信号を記録し若しくはディスクに記録された情報信号を再生する記録再生手段と、ハウジングの一方の主面部側に配設され、記録再生手段をディスクの内外周に亘って移動操作させる記録再生手段の駆動手段とを備える。そして、ディスク回転駆動手段及び記録再生手段の駆動手段のうちの少なくともいずれか一方を駆動する駆動電流が供給される第２の回路基板が、ハウジング内の第１及び第２の主面部の少なくとも一方に沿って近接配置され、外部ホスト機器とのインターフェースを図るインターフェース回路が構成される第１の回路基板が、ハウジングの他方の主面部に配されている。この第１の回路基板は、コネクタと接続されている。
【００１７】
【作用】
本発明に係るディスクドライブ装置は、ハウジングの一方の主面部側に、ディスク回転駆動手段と、記録再生手段と、この記録再生手段をディスクの内外周に亘って移動操作させる駆動手段と配置することにより、ハウジングの他方の主面部側に回路基板を配設するための空間が構成される。
【００１８】
また、本発明に係る情報機器は、ディスクドライブ装置を収納する保持部の内部に設けられたコネクタと接続されるプラグとの接続を介してディスクドライブ装置との間で情報信号の授受が行われる。
【００１９】
【実施例】
以下、本発明に係るディスクドライブ装置及びこのディスクドライブ装置を用いた情報機器を図面を参照して説明する。
【００２０】
本発明に係るディスクドライブ装置１は、図１、図２及び図４に示すように、長方形状に形成された装置本体を構成するハウジング２を備えている。このハウジング２は、当該ハウジング２の周壁部を構成するとともに、後述するハードディスク及びこのハードディスクを回転駆動させるディスク回転駆動機構並びに上記ハードディスクに対し情報信号を記録再生する情報信号記録再生機構等のディスクドライブ装置を構成するに必要な機構部及び記録媒体となる集積回路チップ等の収納部を構成するフレーム部３と、このフレーム部３の底面側の開口部を閉塞する薄板状の支持基板４と、フレーム部３の上面側の開口部を閉塞する薄板状の蓋板５とから構成されてなる。
【００２１】
そして、フレーム部３の底面側に固定ネジ６を介してハウジング２の一方の主面部を構成する支持基板４が取付けられ、フレーム部３の上面側にハウジング２の他方の主面部を構成する蓋板５が接着剤等を用いて接合されることにより長方形状をなす一体のハウジング２が構成される。このハウジング２は、前述した情報メモリーカード１０１の幅（Ｗ１）と同一若しくは情報メモリーカード１０１の幅（Ｗ１）より小さい幅（Ｗ２）をもって形成されている。すなわち、ハウジング２は、本実施例では略５４ｍｍの幅（Ｗ２）をもって形成されている。また、その長さ（Ｌ２）も情報メモリーカード１０１の長さ（Ｌ１）と同一若しくは小さく形成されてなる。すなわち、ハウジング２は、本実施例では略８５．６ｍｍの長さ（Ｌ２）をもって形成されている。このようにハウジング２は、平面の大きさを情報メモリーカード１０１と同一若しくは小さく形成されている。
【００２２】
また、ハウジング２は、略９ｍｍ〜１５ｍｍの厚さに形成され、特に本実施例では１０ｍｍ以下の厚さ（Ｄ２）に形成されてなる。
【００２３】
そして、ハウジング２の相対向する両側面６，７には、ハウジング２の長手方向の全長に亘って溝部８，９が設けられている。これら溝部８，９は、具体的にはハウジング２を構成するフレーム部３の相対向する側面を穿設することによって設けられてなる。
【００２４】
ところで、各溝部８，９は、前述した情報メモリーカード１０１の厚さ（Ｄ１）より十分に大きな厚さ（Ｄ２）を有する本発明に係るディスクドライブ装置１を情報メモリーカード１０１が装着されるカードホルダ１１１への装着を許容するように設けられるものである。すなわち、各溝部８，９は、図１及び図２に示すように、ディスクドライブ装置１がハウジング２の他方の主面部を構成する蓋板５側をカードホルダ１１１の載置板１１２への載置面としてカードホルダ１１１に装着されるとき、このカードホルダ１１１のカード保持部１１３，１１４に形成されたカード支持片１１８の進入を許容し、ディスクドライブ装置１のカードホルダ１１１への装着を可能となすものである。従って、各溝部８，９は、ディスクドライブ装置１のカードホルダ１１１への挿入部分が情報メモリーカード１０１の厚さ（Ｄ１）と略同一の厚さ（Ｄ３）を有する位置に形成されてなる。すなわち、各溝部８，９は、ハウジング２の他方の主面部を構成する蓋板５側から略３．３ｍｍの高さ位置に、一方の主面部を構成する蓋板５側に位置する一方の立上り縁８ａ，９ａが位置するようにして形成されている。
【００２５】
なお、溝部８，９は、カード支持片１１８の進入を許容する幅及び深さをもって形成される。
【００２６】
また、ハウジング２の一端部側であって、溝部８，９が形成された位置より蓋板５側に位置するようにして、情報メモリーカード１０１に設けられるコネクタ１０６と同一の大きさ及び構成を備えた多数の筒状の端子部１０ａを有するコネクタ１０が設けられている。なお、コネクタ１０は、図１及び図２に示すように、ハウジング１の一端部側の面の略全幅に亘って配設されている。
【００２７】
上述のように構成されたディスクドライブ装置１のハウジング２の溝部８，９が形成された位置から蓋板５側に亘る部分は、前述した情報メモリーカード１０１と同様にカードホルダ１１１に配設されるプラグ１１６に接続されるコネクタ１０を備え且つ全く同一の大きさに構成されてなる。
【００２８】
上述したような外形形状を有するハウジング２内には、図３及び図４に示すように、ハウジング２を構成するフレーム部３により構成された収納部１８を介して所望の情報信号が記録されるハードディスク１１が収納されている。このハードディスク１１は、幅（Ｗ２）を５４ｍｍ以下となすハウジング２内に収納されるに足る大きさのものが用いられてなるものであって、直径（Ｒ)を５４ｍｍ以下となすものが用いられる。本実施例にあっては、５０．８ｍｍのハードディスク１１がハウジング２に収納されてなる。
【００２９】
上記ハードディスク１１は、ハウジング２内に配設されるディスク回転駆動機構１２を構成するディスク駆動モータ１３に一体に支持され、このディスク回転駆動モータ１３により直接回転駆動させられる。
【００３０】
上記ハードディスク１１を回転駆動するディスク駆動モータ１３は、軸支持基板１４に植立した支持軸１５を備えている。この支持軸１５を植立した軸支持基板１４は、図４に示すように、ハウジング２を構成する支持基板４に穿設された開口部４ａに嵌合させるようにして支持基板４に取付けられている。そして、支持軸１５を介してディスク駆動モータ１３を構成するロータ１６が取付けられている。このロータ１６は、支持軸１５に対し回転自在となるようにベアリング１７を介して支持され、その外周部にはロータマグネットが一体に取付けられている。このロータマグネットに対向され上記ロータマグネットと協動して回転駆動力を発生させる駆動電流が供給されるステータコイルは、支持基板４の内側面側に配設されるプリント回路基板２０の一側面に設けられてなる。すなわち、ステータコイルは、プリント回路基板２０の一側面にプリントコイルとして形成されてなる。
【００３１】
このディスク駆動モータ１３を駆動する駆動電流は、プリント回路基板２０に形成された配線パターンを介してステータコイルに供給される。
【００３２】
ところで、駆動モータ１３を構成するロータ１６の先端側には、ハードディスク１１が中心孔２１を介して嵌合されるディスク嵌合突部２２が形成される。この嵌合突部２２の基端側にディスク載置段部２３が形成されている。そして、ハードディスク１１は、ディスク嵌合突部２２に中心孔２１を嵌合させるとともに上記ディスク載置段部２３上に載置されてロータ１６上に配置される。このロータ１６上に配置されたハードディスク１１は、ディスク嵌合突部２２に嵌合配設されるリング状のディスクハブ２４により押圧支持されてロータ１６に一体化され、このロータ１６と同期して回転可能に支持される。
【００３３】
また、ハウジング２を構成するフレーム部３により構成された収納部１８内には、図３及び図４に示すように、ハードディスク１１に対し情報信号を記録し、このハードディスク１１に記録された情報信号を再生する情報信号記録再生機構２５が収納されている。
【００３４】
この情報信号記録再生機構２５は、ハードディスク１１の両主面にそれぞれ形成された信号記録領域の内外周に亘って移動操作される一対の磁気ヘッド２６，２７を備えている。これら磁気ヘッド２６，２７は、図４に示すように、支持基板４に植立されたアーム体支持軸２８に回動可能に支持されたアーム支持体２９に支持された一対のヘッド支持アーム３０，３１の先端に取付けられている。
【００３５】
アーム支持体２９を回動可能に支持するアーム支持体支持軸２８は、支持基板４に固定ネジ３２により固定されている。このアーム支持体支持軸２８には、ベアリング３３が嵌装され、このベアリング３３を介してアーム支持体嵌合筒３４が嵌合配設されている。このアーム支持体嵌合筒３４に対しアーム支持体２９が密嵌されることにより、このアーム支持体２９は、アーム体支持軸２８に対し回動可能に支持されてなる。
【００３６】
そして、アーム支持体２９の一側には、上下に並列して一対のアーム支持片３５，３６が突設されている。これらアーム支持片３５，３６には、一対のヘッド支持アーム３０，３１が、その基端側を固定ピン３７により固定されてそれぞれ取付けられている。従って、一対のヘッド支持アーム３０，３１の先端にそれぞれ取付けられた磁気ヘッド２６，２７は、アーム支持体２９を回動可能に支持するアーム支持体支持軸２８を中心にして図３中矢印Ａ方向及び矢印Ｂ方向に回動操作されることにより、ハードディスク１１の両主面の信号記録領域の内外周に亘って移動操作される。
【００３７】
また、アーム支持体２９のアーム支持片３５，３６が突設された一側と対向する他側には、駆動コイル取付け片３８が突設され、この駆動コイル取付け片３８を介して、支持基板４上に配設されるマグネット３９と共働してヘッド回動駆動部４０を構成する駆動コイル４１が取付けられている。この駆動コイル４１には、ハウジング２内に延在されるフレキシブルプリント基板４２を介して駆動電流が供給され、アーム支持体２９をアーム支持体支持軸２８を中心にして図３中矢印Ａ方向及び矢印Ｂ方向に回動させ、一対のヘッド支持アーム３０，３１の先端の磁気ヘッド２６，２７をハードディスク１１の両主面の信号記録領域の内外周に亘って移動操作する。
【００３８】
そして、一対のヘッド支持アーム３０，３１を支持してなるアーム支持体２９から突設された駆動コイル取付け片３８の両側には、上記アーム支持体２９の過剰回動を規制する押圧バネ４３，４４がそれぞれ配設されている。これら押圧バネ４３，４４は、アーム支持体２９が回転駆動され、ヘッド支持アーム３０，３１先端の磁気ヘッド２６，２７がハードディスク１１の内周側及び外周側に移動させれたときの過剰回動を規制し、磁気ヘッド２６，２７がハードディスク１１の主面外方にまで回動されることを規制するものである。
【００３９】
なお、ヘッド支持アーム３０，３１先端の磁気ヘッド２６，２７への記録情報信号の供給及びこれら磁気ヘッド２６，２７からの再生情報信号は、ヘッド支持アーム３０，３１上に延在され、フレキシブルプリント基板４２に接続されたリード線４５を介して行われる。
【００４０】
ところで、ハウジング２内には、図４に示すように、このハウジング２内に配設されたディスク回転駆動機構１２及び情報信号記録再生機構２５の上面側を覆うようにして板金により形成された覆板４６が配設されている。この覆板４６は、ディスク回転駆動機構１２を構成するディスクハブ２４の上面側を支持し、ハードディスク１１をロータ１６に確実に一体化するとともに、情報信号記録再生機構２５を構成する支持アーム体２９のアーム体支持軸２８からの脱落を防止するものである。すなわち、覆板４６は、固定ネジ等を用いることなくハードディスク１１をロータ１６に一体化させ、且つアーム支持体２９のアーム体支持軸２８からの脱落を防止するものである。
【００４１】
この覆板４６は、ハウジング２を構成するフレーム部３の係止段部４７に支持されるとともに、この装置の一方の主面を構成する蓋板５の内側面に配設される押え板４８に突設された支持突片４９によって押圧支持されている。
【００４２】
なお、蓋板５は、フレーム部３の上端側外周囲に形成された嵌合段部５０に周縁を接合させてハウジング２に一体化される。
【００４３】
また、蓋板５とハウジング２内に配設される覆板４６との間に形成される収納空間には、ディスク回転駆動機構１２及び情報信号記録再生機構２５の駆動制御回路や外部のコンピュータ部とのインターフェイスを図るインターフェイス回路等を構成する複数の集積回路チップ５１を並列して搭載した第１の回路基板であるプリント回路基板５２が配設されている。このプリント回路基板５２に搭載される集積回路チップ５１は、ハウジング２内の僅かな収納空間内に配設されるため高さが１．５ｍｍ以下の薄いものが用いられる。
【００４４】
そして、集積回路チップ５１を搭載したプリント回路基板５２の一端側には、このディスクドライブ装置１をパーソナルコンピュータ等に接続させる際の接続部となるコネクタ１０が接続されている。このプリント回路基板５２に接続されたコネクタ１０は、図１に示すように、筒状の端子部１０ａがハウジング２の一端面に臨まされ、図４に示すようにフレーム部３と蓋板５とによって挾持されてハウジング２内に配設されている。
【００４５】
なお、プリント回路基板５２とこの装置の一方の主面部を構成する支持基板４上に配設される第２の回路基板であるプリント回路基板２０間は、これらプリント回路基板５２，２０にそれぞれ配設される回路基板接続用のコネクタ５３及びコネクタピン５４により電気的な接続が達成されている。また、磁気ヘッド２６，２７から引き出されたリード線４５が接続されたフレキシブルプリント基板４２は、集積回路チップ５１を搭載したプリント回路基板５２に接続される。
【００４６】
上述のようにハウジング２内にハードディスク１１及びこのハードディスク１１を回転駆動させるディスク回転駆動機構１２を内蔵させるとともに、上記ハードディスク１１に対し情報信号の記録再生を行う情報信号記録再生機構２５を内蔵させてなる本発明に係るディスクドライブ装置１は、ハウジング２の平面の大きさを従来用いられている情報メモリーカード１０１と同一若しくは小さく形成するとともに、情報メモリーカード１０１が装着されるカードホルダ１１１への装着を許容する溝部８，９を設け、さらに情報メモリーカード１０１に設けられるコネクタ１０６と同一のコネクタ１０を情報メモリーカード１０１の厚さと略同一の厚さを有する溝部８，９と蓋板５間に臨ませて配設させてなるので、カードホルダ１１１に対し情報メモリーカード１０１と互換性をもって装着させることが可能である。
【００４７】
すなわち、本発明に係るディスクドライブ装置１は、図５に示すように、ハウジング２の他方の主面部を構成する蓋板５側をカードホルダ１１１のカード載置板１１２への載置面となし、コネクタ１０が取付けられた一端側をカードホルダ１１１への挿入端としてカード挿脱口１１５を介してカードホルダ１１１へ挿入すると、ハウジング２の両側に形成された溝部８，９にカード保持部１１３，１１４のカード支持片１１８，１１８が臨まされる。このとき、ディスクドライブ装置１は、溝部８，９が形成された部分から蓋板５側に亘る情報メモリーカード１０１と同一の大きさを有する部分がカードホルダ１１１に挿入され、溝部８，９が形成された部分から支持基板４に亘る部分がカード保持部１１３，１１４間の開放された部分からカードホルダ１１１の上方へ突出された状態となる。
【００４８】
そして、コネクタ１０が配設された一端側をカードホルダ１１１のカード挿脱口１１５に臨ませた状態からさらに上記カードホルダ１１１の内方に挿入すると、上記ディスクドライブ装置１は、図６に示すように、溝部８，９の部分がカード支持片１１８，１１８により支持され、溝部８，９が形成された部分から支持基板４に亘る部分がカード保持部１１３，１１４間から突出された状態となってカードホルダ１１１の所定装着位置に装着される。このとき、挿入端側のコネクタ１０は、カードホルダ１１１の内方端に配設されたプラグ１１６に接続される。
【００４９】
上述のように本発明に係るディスクドライブ装置１は、従来用いられている情報メモリーカード１０１が装着されるカードホルダ１１１に対し情報メモリーカード１０１と互換性をもって装着可能となる。
【００５０】
従って、本発明に係るディスクドライブ装置１は、情報メモリーカード１０１が装着されるカードホルダ１１１をパーソナルコンピュータ等に設けることにより、このパーソナルコンピュータ等に対し情報メモリーカード１０１と互換性をもって装着可能となる。
【００５１】
本発明に係るディスクドライブ装置１は、カードホルダ１１１が設けられたパーソナルコンピュータ等に装着されることにより、このパーソナルコンピュータ等との間で情報信号の授受が行われる情報機器を構成する。そして、ディスク回転駆動機構１２が駆動されてハードディスク１が回転駆動を開始するとともに、情報信号記録再生機構２５のヘッド回動駆動部４０が駆動を開始して一対のヘッド支持アーム３０，３１が回動操作され、これらヘッド支持アーム３０，３１の先端の磁気ヘッド２６，２７が図３に示すハードディスク１の外周側に位置する初期位置から図７に示す内周側に移動操作されることにより、パーソナルコンピュータ等らの情報信号の記録が行われ、あるいはハードディスク１に記録された情報信号の読出し再生が行われる。
【００５２】
【発明の効果】
上述したように本発明に係るディスクドライブ装置は、従来用いられている情報メモリーカードが装着されるカードホルダに対し互換性をもって装着することができ、そして記録媒体に極めて大きな記憶容量を保証することのできるディスクを用いてなるので、情報メモリーカードに比し十分に大きな記憶容量を確保することができ、このディスクドライブ装置を用いる情報機器の記憶容量の増大を図ることができる。
【００５３】
しかも、ディスクドライブ装置を構成するハウジングの一方の主面部側に、ディスク回転駆動手段と、記録再生手段と、この記録再生手段をディスクの内外周に亘って移動操作させる駆動手段と配置することにより、ハウジングの他方の主面部側に回路基板を配設するための空間を構成することができるので、装置自体の薄型化を図りながら回路基板を効率よくハウジング内に配置することができる。
【図面の簡単な説明】
【図１】本発明に係るディスクドライブ装置を示す上面側からの斜視図である。
【図２】本発明に係るディスクドライブ装置を示す底面側からの斜視図である。
【図３】本発明に係るディスクドライブ装置の内部構造を示すものであって、磁気ヘッドがハードディスクの外周側位置に移動された状態を示す平面図である。
【図４】本発明に係るディスクドライブ装置の側断面図である。
【図５】本発明に係るディスクドライブ装置を情報メモリーカードが装着されるカードホルダに装着する状態を示す斜視図である。
【図６】本発明に係るディスクドライブ装置を情報メモリーカードが装着されるカードホルダに装着させた状態を示す斜視図である。
【図７】磁気ヘッドがハードディスクの内周側位置に移動された状態を示す平面図である。
【図８】従来用いられている情報メモリーカードを示す外観斜視図である。
【図９】上記情報メモリーカードの内部構造を示す斜視図である。
【図１０】上記情報メモリーカードが装着されるカードホルダの一例を情報メモリーカードとともにに示す斜視図である。
【図１１】上記情報メモリーカードを上記カードホルダに装着した状態を示す斜視図である。
【符号の説明】
１  ディスクドライブ装置、  ２  ハウジング、  ３  フレーム部、  ４  支持基板、  ５  蓋板、  ８，９  溝部、  １０  コネクタ、  １１  ハードディスク、  １２  ディスク回転駆動機構、  １３  ディスク駆動モータ、  ２５  情報信号記録再生機構、  ２６，２７  磁気ヘッド、  ２９  アーム支持体、  ３０，３１  ヘッド支持アーム、  ４０  ヘッド回転駆動機構、  ５１  集積回路チップ、  ５２  プリント回路基板
【図１】
0003711861.tif 000002
【図２】
0003711861.tif 000003
【図３】
0003711861.tif 000004
【図４】
0003711861.tif 000005
【図５】
0003711861.tif 000006
【図６】
0003711861.tif 000007
【図７】
0003711861.tif 000008
【図８】
0003711861.tif 000009
【図９】
0003711861.tif 000010
【図１０】
0003711861.tif 000011
【図１１】
0003711861.tif 000012